(57)【要約】【課題】複数の配光用に対応できるように器具本体を共通化した照明装置を提供する。【解決手段】複数のＬＥＤが配設され、このＬＥＤの放射光を反射する反射体３ａを備えて形成された略矩形状の光源モジュール３と；これら複数の光源モジュール３，３，…の長手方向を、その軸方向に配列する縦配列と、その幅方向に配列する横配列のいずれにも配設可能に構成された器具本体２と；を具備している。【選択図】  図１
2010129306.tif 000002
【特許請求の範囲】
【請求項１】
複数の発光素子が配設され、この発光素子の放射光を反射する反射部材を備えて形成された略矩形状の光源モジュールと；
これら複数の光源モジュールの長手方向を、その軸方向に配列する縦配列と、その幅方向に配列する横配列のいずれにも配設可能に構成された器具本体と；
を具備していることを特徴とする照明装置。
【請求項２】
器具本体は、アルミニウムの押出し加工により一体に形成されて、その内面に内方へ突出して相互に対向する一対のリブを長手方向に一体に突設しており、これら一対のリブ上にアルミニウム製の取付板を載置してねじ止めにより固定し、この取付板上に複数の光源モジュールを固定していることを特徴とする請求項１記載の照明装置。
【請求項３】
一対のリブは、その長手方向に、止めねじのタッピングねじ用下孔としてスリットをそれぞれ形成していることを特徴とする請求項２記載の照明装置。
【請求項４】
器具本体は、取付部材に取り付けられる取付端部側の内部に、電源ユニットを配設していることを特徴とする請求項２または３のいずれか一記載の照明装置。
【発明の詳細な説明】
【技術分野】
【０００１】
本発明は、道路、公園等の主に屋外で街路灯、防犯灯、庭園灯、及び投光器等として使用される照明装置に関する。
【背景技術】
【０００２】
この種の照明装置は、道路の歩道側に設置された支柱等の高所に取付けられ、蛍光ランプやＨＩＤランプを光源として路面等を照明することが一般的である。しかし、近年、省エネルギー化や省メンテナンス等の観点から、発光ダイオード（以下、ＬＥＤという）を屋外照明装置の光源として利用することが提案されている（例えば、特許文献１参照）。
【特許文献１】特開２００８−２５８００７号公報
【発明の開示】
【発明が解決しようとする課題】
【０００３】
しかしながら、このような従来の照明装置では、その設置環境の相違によって前方配光や横配光等に配光を変更する場合には、ＬＥＤを備えた光源ユニットの照射角度を角度変更手段により可変とするものであるため、光源ユニットを内部に収容する器具本体としては、配光に応じて複数種類のものを一々用意しておかねばならず、製造コストや保管コストが嵩む上に、設置施工効率が悪いという課題がある。
【０００４】
本発明の目的は、複数の配光用に対応できるように器具本体を共通化した照明装置を提供することにある。
【課題を解決するための手段】
【０００５】
請求項１に係る照明装置は、複数の発光素子が配設され、この発光素子の放射光を反射する反射部材を備えて形成された略矩形状の光源モジュールと；これら複数の光源モジュールの長手方向を、その軸方向に配列する縦配列と、その幅方向に配列する横配列のいずれにも配設可能に構成された器具本体と；を具備していることを特徴とする。
【０００６】
請求項１に係る照明装置において、光源モジュールの発光素子は好適には発光ダイオード（ＬＥＤ）や半導体レーザなど半導体を発光源とした発光素子が許容される。ＬＥＤの場合は例えばＳＭＤ型のＬＥＤを好適に用いることができる。発光素子列をなす発光素子の個数、光源モジュールの個数は任意に選定できる。発光素子列をなす複数個の発光素子は、同一機能、性能を有するものが好適であるが、機能、性能が異なる発光素子で構成してもよい。
【０００７】
光源モジュールは、その投光方向を、その軸方向または横方向のいずれかにそれぞれ構成することは適宜なし得るが、仮に軸方向に投光するように構成した場合には、光源モジュールの縦配列のときは、その縦方向の一方、例えば前方配光が可能となり、横配列は、その縦方向に直交する方向、すなわち横配光が可能となる。
【０００８】
そして、器具本体は、この光源モジュールの縦配列と横配列のいずれをも配設可能に構成されているので、この器具本体を前方配光用と横配光用の照明装置のいずれにも共用することができる。
【０００９】
請求項１の発明の照明装置は、道路、公園等の照明をなす防犯灯などの屋外照明装置として好適に使用されるが、室内の廊下や通路等の長手方向（通路等が延びる方向）に所定の明るさを必要とする場所に設置される屋内用照明器具としても使用することもできる。請求項１の発明の照明装置を例えば防犯灯に使用する場合、器具本体の両側から光を斜め下方に出射して、道路の長手方向に沿って広範囲な配光を得るようにすることが好ましい。
【００１０】
請求項１の発明で、器具本体は、例えば、アルミニウムの押出し材やプレス加工材等からなる金属や、光を透過させない合成樹脂等で構成して光を遮断することが好ましい。
【００１１】
請求項２の照明装置は、器具本体は、アルミニウムの押出し加工により一体に形成されて、その内面に内方へ突出して相互に対向する一対のリブを長手方向に一体に突設しており、これら一対のリブ上にアルミニウム製の取付板を載置してねじ止めにより固定し、この取付板上に複数の光源モジュールを固定していることを特徴とする。
【００１２】
請求項２の発明において、発光素子がＬＥＤである場合、取付板は、アルミダイカスト等からなる金属製とし、これにＬＥＤを熱伝導可能に配設することで，ＬＥＤの放熱を促進する構成とすることが好ましい。
【００１３】
請求項３の照明装置は、一対のリブは、その長手方向に、止めねじのタッピングねじ用下孔としてスリットをそれぞれ形成していることを特徴とする。
【００１４】
請求項３の発明において、器具本体がアルミニウムの押出し加工により一体に形成されているので、その一対のリブとそのタッピングねじ用下穴のスリットもほぼ同時に容易に一体に形成することができる。また、光源モジュールを取付板にねじ止めする止めねじはタッピングねじで、この止めねじの根元部を挿通させる取付板の取付穴は単なる挿通孔であることが好ましく、タッピングねじの止めねじの締付により、その先端部が一対のリブのスリットの開口側面をねじ溝を形成しつつ締め付けられるように構成されることが好ましい。
【００１５】
請求項４の照明装置は、器具本体は、取付部材に取り付けられる取付端部側の内部に、電源ユニットを配設していることを特徴とする。
【００１６】
請求項４の発明において、取付部材は街路灯の支柱等に取り付けられる取付金具であり、その一端部は、器具本体の長手方向一端部である取付端部に取り付けられる。
【発明の効果】
【００１７】
請求項１の発明によれば、器具本体を前方配光用と横配光用に共用することができる。
【００１８】
請求項２の発明によれば、ＬＥＤの発熱が取付板、一対のリブを介してアルミニウム押出し材の器具本体に熱伝達されるので、この器具本体の外面から外気へ放熱される放熱効率を向上させることができる。
【００１９】
請求項３の発明によれば、タッピングねじである止めねじを一対のリブのスリットにタッピングねじ用下孔としてねじ込み締付固定するので、タッピングねじ用下孔が無い場合に比してこの止めねじの締付固定を容易かつ迅速に行うことができる。
【００２０】
請求項４の発明によれば、比較的重量の重い電源ユニットを、取付金具等の取付部材が取り付けられる器具本体の取付端部側に配設したので、その取付部材による器具本体の支持を安定させ、その支持バランスを安定させることができる。
【発明を実施するための最良の形態】
【００２１】
以下、本発明の実施形態を添付図面に基づいて説明する。これら複数の添付図面中、同一または相当部分には同一符号を付している。
【００２２】
図１は本発明の一実施形態に係る照明装置の正面図、図２は図１の右側面図、図３は図１で示す光源モジュールの俯瞰図である。
【００２３】
これら図１〜図３に示すように照明装置１は、図１中横方向に長い有底横長角筒状でアルミニウム製の器具本体２内に、図３で示す複数の光源モジュール３，３，３，…を、その幅方向に例えば一列で並設した横配列により配設しており、これにより、図１中、小矢印で示す方向にそれぞれ投光する横配光に構成されている。器具本体２は、その開口端２０の幅方向長さをＷ０、長手方向長さをｌ０に形成している。
【００２４】
図３に示すように各光源モジュール３は、反射部材である正面頂部側の稜線が略コ字状となっていて、中央に向うに従って凹んだ形状を有する反射体３ａを有する。反射体３ａは長手方向に放物曲線状の断面が連続する反射面が成形されたＵ字状本体部３ａ１とこのＵ字状本体部３ａ１の軸方向一端（図３では上端）を閉じるほぼ半円板状の端板部３ａ２とを白色の合成樹脂により一体に形成し、これらの内外両面または少なくとも内面を反射面に形成し、Ｕ字状本体部３ａ１のＵ字状開口端側と、軸方向他端（図３では下端）のコ字状開口端側へ主に投光する。
【００２５】
反射体３ａは、そのＵ字状本体部３ａ１の内面の中心軸上に、その軸方向に長い細長矩形板状の開放部が形成されており、この開放部に臨むように発光素子の一例として、例えば矩形の複数のＬＥＤ３ｃ，３ｃ，…を軸方向に所要のピッチかつ所要の列で並設している。複数のＬＥＤ３ｃ，３ｃ，…は反射体３ａの下面に取り付けられた基板３ｂに実装されている。なお、図１ではＬＥＤ３ｃを全て図示省略している。
【００２６】
また、光源モジュール３は、その両端部に位置する、基板３ｂの一対の取り付端部３ｄ，３ｄを形成し、複数の小止めねじ３ｅ等により固定するようになっている。このように構成された各光源モジュール３は、その軸方向長さｌａを、その幅方向長さＷａよりも長い（ｌａ＞Ｗａ）長方形に形成され、その軸方向長さｌａは器具本体２の開口幅２ａの幅方向長さＷ０よりも十分に小さく（ｌａ＜＜Ｗ０）形成されている。器具本体２はその開口幅２０の長手方向長さｌ０を、光源モジュール３の複数、例えば８個を幅方向に並設した場合よりも十分に長く（ｌ０＞＞８Ｗａ）なるように形成している。
【００２７】
そして、図１に示すように複数の光源モジュール３，３，…は、その反射体３ａの端板部３ａ２が器具本体２の軸方向で交互に反対（上または下）に位置するように横配列することにより、各光源モジュール３から図１中上下方向、すなわち器具本体２の長手方向（軸方向）に対して直交する方向（図１中小矢印で示す方向）に交互に投光させることにより、横配光するように構成されている。
【００２８】
図４は器具本体２の軸方向中間部を省略して示す平面図、図５はその正面図、図６は図４のＶＩ−ＶＩ断面図である。
【００２９】
図６に示すように器具本体２は、アルミニウムの押出し加工により側断面形状がほぼコ字状に一体に形成され、後述するように前方配光用の器具本体としても共用し得る形状と寸法に構成されている。そして、この器具本体２は、そのコ字状の一対の側面部２ａ，２ｂの図６中、高さ方向中間部と上端部において、その内方へそれぞれ突出する中間部リブ２ｃ，２ｄと上端部リブ２ｅ，２ｆとをそれぞれ一体に形成している。また、図１に示すように器具本体２は、その長手方向開口両端に、図中左右一対の端板２ｇ，２ｈを端部パッキンを介してねじ等により固定して閉塞している。これら一対の端板２ｇ，２ｈの一方、例えば２ｈは、その外面に複数の器具取付ボルト４，４，…が取り付けられて器具取付端部に形成されている。なお、図２中、符号５は電源取付ブッシング、６は電源押さえ金具である。
【００３０】
図６等で示す一対の中間部リブ２ｃ，２ｄと上端部リブ２ｅ，２ｆは、器具本体２の押出し加工により、その長手方向（軸方向）のほぼ全長に亘ってそれぞれ形成され、これらリブ２ｃ，２ｄ，２ｅ，２ｆの図６中上面には、例えば断面がほぼ矩形の有底スリット２ｃ１，２ｄ１，２ｅ１，２ｆ１をタッピングねじ用下孔としてそれぞれ形成している。
【００３１】
図７に示すように中間部リブ２ｃ，２ｄ上には、熱伝導性の良好なアルミニウム製等の平板状の取付板７が載置され、タッピングねじの複数の止めねじ８，８，…により固定される。取付板７は、例えばその厚さが３ｍｍ以上であり、その幅方向両端を器具本体２の一対の側面部２ａ，２ｂの内面に器具本体２の長手方向ほぼ全長に亘って密着させる寸法と形状に形成されており、その密着により取付板７からの熱を器具本体２の側面部２ａ，２ｂに熱伝導させるようになっている。
【００３２】
取付板７は、その幅方向両端部に、止めねじ８，８，８，…を単に挿通させる挿通孔７ａをそれぞれ形成し、これら各挿通孔７ａを挿通した各止めねじ８の先端部にはねじ溝が形成されており、各止めねじ８が中間リブ２ｃ，２ｄのスリット２ｃ１，２ｄ１内にねじ込まれることにより、スリット２ｃ１，２ｄ１の内壁面に各止めねじ８のねじ溝に嵌合されるねじ溝が形成されて締結される。この取付板７により、器具本体２内は上下２層ｕ，ｄに画成される。
【００３３】
取付板７上には、上記複数の光源モジュール３，３，３，…が小止めねじ３ｅ，３ｅ，…によりそれぞれ締付固定されるので、光源モジュール３，３，…は器具本体２の上層部ｕ内に配設される。
【００３４】
また、器具本体２は、その取付端部２ｈ側の内底部上に、電源ユニット９を固定しており、電源ユニット９を器具本体２内の下層部ｄに配設している。
【００３５】
そして、図７に示すように器具本体２は、その上端部リブ２ｅ，２ｆ上に、矩形枠状の上部枠１０とパッキン１１を介して矩形平板状の透光カバー１２を載置してねじ止めにより水密に固定している。
【００３６】
図８はこのように構成された照明装置１を、その前端（図８では左端）側を取付端部２ｈ側よりも上方に向けた所要の傾斜角度で取付端部２ｈの複数の器具取付ボルト４，４，…により取付金具１３に取り付け、さらに、この取付金具１３を例えば支柱１４に固定したときの取付状態を示している。
【００３７】
図８に示すように照明装置１は、器具本体２の底部（図８では上端部）の内面上には、電源ユニット９よりも前方側（図８では左側）にて、バランサ回路取付板１５をねじ止め等により固定し、このバランサ回路取付板１５上にはバランサ回路１６と放熱シート１７をそれぞれ配設している。
【００３８】
バランサ回路１６は、各光源モジュール３の各ＬＥＤ３ｃの発光量をほぼ等しくするために各ＬＥＤ３ｃに通電する電流を所定の定電流に制御する定電流制御回路であり、その出力側をバランサ回路ハーネス１８，１８，…を介して各光源モジュール３の基板３ｂに電気的に接続している。
【００３９】
また、バランサ回路１６は、その入力側を電源ハーネス１９により電源ユニット９の出力側に接続しており、電源ユニット９の電力入力側は、電源口出し線ハーネス２０を介して、支柱１４内に配設された図示省略の商用電源線等に接続される。
【００４０】
したがって、この照明装置１によれば、器具本体２の軸直交方向、すなわち横方向に配光することができる。また、図８に示すように照明装置１の前端部が水平線よりも上方へ向くように傾斜しているので、その分、前方へも配光することができる。
【００４１】
また、この照明装置１によれば、ＬＥＤ３ｃや電源ユニット９の発熱が取付板７、一対の中間部リブ２ｃ，２ｄを介してアルミニウム押出し材の器具本体２に熱伝達されるので、この器具本体２の外面から外気へ放熱される放熱効率を向上させることができる。しかも、この中間部リブ２ｃ，２ｄは器具本体２の押出し加工により器具本体２のほぼ全長に形成され長いので、その分、放熱表面積を増大させることができ、そのために放熱効果をさらに向上させることができる。
【００４２】
さらに、タッピングねじである止めねじ８，８，…を一対の中間部リブ２ｃ，２ｄのスリット２ｃ１，２ｄ１にタッピングねじ用下孔としてねじ込み締付固定するので、タッピングねじ用下孔が無い場合に比してこの止めねじ８，８，…の締付固定を容易かつ迅速に行うことができる。
【００４３】
また、比較的重量の重い電源ユニット９を、取付金具１３等の取付部材が取り付けられるために支持力の大きい器具本体２の取付端部２ｈ側に配設したので、その取付金具１３による器具本体２の支持力を増大させ、その支持を安定させることができる。
【００４４】
図９は本発明の第２の実施形態に係る照明装置１Ａの正面図である。この照明装置１Ａは、上記図１〜図８で示す照明装置１の器具本体２を共用して、横配光を前方配光用の照明装置に変更した点に特徴がある。なお、図９においても図１と同様にＬＥＤ３ｃは図示省略しており、これら以外はほぼ同一の構成である。
【００４５】
すなわち、照明装置１Ａは、上記照明装置１の器具本体２内に、上記複数の光源モジュール３，３，…を、その正面コ字状開口端を前端（図９では左端）に向けた状態で、その軸方向に配列する縦配列を、例えば図９中、上下２段の２列配設し、各光源モジュール３の正面コ字状開口端を器具本体２の前端２ｇ側へ向けている。
【００４６】
したがって、この照明装置１Ａによれば、各光源モジュール３の発光を器具本体２の前方（左側方）と図９下方へ投光させ、前方へ配光することができる。
【００４７】
また、この照明装置１Ａによれば、上記横配光用の照明装置１の器具本体２を前方配光用の器具本体２として共用することができる。すなわち、この器具本体２は、その開口端２０の幅方向長さＷ０と長手方向長さｌ０とを、光源モジュール３，３，３，…を２列縦配列可能の寸法と形状に構成しているので、前方配光用にも共用することができる。このために、器具本体２を前方配光用と横配光用とにそれぞれ個別に製造し、保管する必要がない。
【００４８】
なお、上記器具本体２を地面に立設して庭園灯２０として使用することもできる。その一例を図１０〜図１１を参照して説明する。
【００４９】
この庭園灯２０は、器具本体２Ｂを庭園等の地面ｇに直接または図示しない土台を介してほぼ垂直に立設することにより庭園灯に構成した点に特徴がある。
【００５０】
すなわち、器具本体２Ｂは、上記図１や図９等で示す横配光用と前方配光用の器具本体２とほぼ同一の構成であるが、その取付端部側の端板２ｈを、この端板２ｈに設けた器具取付ボルト４，４を取り外して他端の端板２ｇと同様の端板２ｉに形成している点で相違し、これ以外は同一の構成である。
【００５１】
また、この器具本体２Ｂは、図１０，図１１中、その前面を前面カバー２１により閉じている。この前面カバー２１の上部には、例えば矩形の投光開口２２を形成し、この投光開口２２よりも上方の上部前面カバー２１ａでは、その内方の器具本体２Ｂ内にて、光源モジュール３Ｂを図１で示す横向きで配設している。この光源モジュール３Ｂは、図３等で示す光源モジュール３の軸方向一端のみならず、両端を端板部３ａ２，３ａ２によりそれぞれ閉じており、主にＵ字状本体部３ａ１の開口端から主に投光するように構成されている。
【００５２】
そして、図１１に示すように、この光源モジュール３Ｂは、その投光方向を、前方向から所要角度下方に向けた状態、すなわち、投光開口２２へ向けた状態で支持部材２３により固定されている。この支持部材２３の図中上端は器具本体２Ｂの上部端板２ｉの内面に固定されている。
【００５３】
そして、器具本体２Ｂは、その投光開口２２の図中上端内側であって、光源モジュール３Ｂの投光方向途中において、例えば矩形平板状のセード２４を水平方向に配設している。また、投光開口２２には、光源モジュール３Ｂの投光方向にほぼ平行に傾斜した主反射面２５ａを有する反射体２５を所要角度で設けている。反射体２５は、この主反射体２５ａの左右両側も反射面２５ｂにそれぞれ形成している。
【図面の簡単な説明】
【００５４】
【図１】本発明の第１の実施形態に係る照明装置の正面図。
【図２】図１の右側面図。
【図３】図１で示す光源モジュールの俯瞰図。
【図４】図１で示す器具本体の一部切欠正面図。
【図５】図１で示す器具本体の一部切欠底面図。
【図６】図４のＶＩ−ＶＩ線断面図。
【図７】図１のＶＩＩ−ＶＩＩ線断面図。
【図８】図１で示す照明装置を取付金具により支柱に取り付けた状態の一部切欠側断面図。
【図９】本発明の第２の実施形態に係る照明装置の正面図。
【図１０】本発明の第３の実施形態に係る庭園灯の斜視図。
【図１１】図１０で示す庭園灯の上部側断面図。
【符号の説明】
【００５５】
１，１Ａ…照明装置、２…器具本体、２ａ，２ｂ…器具本体の一対の側面部、２ｃ，２ｄ…一対の中間部リブ（リブ）、２ｃ１，２ｄ１…有底スリット、２ｅ，２ｆ…一対の上端部リブ、２ｇ…前方側端板、２ｈ…取付端部側端板（取付端部）、３…光源モジュール、３ａ…反射体、３ａ１…反射体のＵ字状本体部、３ａ２…反射体の端板部、３ｂ…基板、３ｃ…ＬＥＤ、４…器具取付ボルト、７…取付板、８…止めねじ、９…電源ユニット、１２…透光カバー、１３…取付金具（取付部材）、１４…支柱、１６…バランサ回路、１８…バランサ回路ハーネス、ｄ…下層、ｕ…上層。
【図１】
2010129306.tif 000003
【図２】
2010129306.tif 000004
【図３】
2010129306.tif 000005
【図４】
2010129306.tif 000006
【図５】
2010129306.tif 000007
【図６】
2010129306.tif 000008
【図７】
2010129306.tif 000009
【図８】
2010129306.tif 000010
【図９】
2010129306.tif 000011
【図１０】
2010129306.tif 000012
【図１１】
2010129306.tif 000013